(57)【要約】本発明はホテルや銀行、事務室などで高級なイメージを持たせるとともに、より便利に使用し、管理することができるウェットティッシュ供給装置を提供するためのものであって、多数の乾燥したティッシュが積載されるティッシュケースと、ティッシュケースからティッシュを掴んで引き出す掴み部と、掴み部によって引き出されたティッシュを排出方向に運搬するコンベヤベルトと、運搬中のティッシュ表面に水分を噴射する水噴射手段とを含み、水噴射手段は水筒と噴射ノズルとから構成され、ティッシュケースは装置の上部又は下部に、そして掴み部は装置の下部又は上部に位置し、掴み部はティッシュの位置付けのためにコンベヤベルトに向けて上下移動が可能な往復動式シリンダー構造を有することを特徴とし、ティッシュケースは、上部に蓋、下部に開放枠が備えられた所定高さの函体と、ティッシュの補充のために函体の前面に開閉可能に備えられたドアと、ティッシュケース内部のティッシュが引き出されることによる空白を埋めるために、積載されたティッシュに荷重を加えながら下方移動させる重量板とを含み、ドアは函体前端のレールに上下摺動自在に嵌められ、蓋はドアの開放時にドアの昇降を許容するように、蓋の表面にドアの断面形状に対応する通過孔を備えることを特徴とする。【選択図】図１
2014503309.tif 000002
【特許請求の範囲】
【請求項１】
多数の乾燥したティッシュが積載されるティッシュケースと、
ティッシュケースからティッシュを掴んで引き出す掴み部と、
掴み部によって引き出されたティッシュを排出方向に運搬するティッシュ運搬手段と、
運搬中のティッシュ表面に水分を噴射する水噴射手段とを含むウェットティッシュ供給装置。
【請求項２】
水噴射手段は、水筒と噴射ノズルとから構成されることを特徴とする請求項１に記載のウェットティッシュ供給装置。
【請求項３】
ティッシュケースは、装置の上部に位置し、掴み部は装置の下部に位置するか、又は、ティッシュケースは装置の下部に位置し、掴み部は装置の上部に位置することを特徴とする請求項１に記載のウェットティッシュ供給装置。
【請求項４】
掴み部は、引き出されたティッシュの位置付けのために、コンベヤベルトに対して上下移動が可能な往復動式シリンダー構造を有することを特徴とする請求項３に記載のウェットティッシュ供給装置。
【請求項５】
ティッシュケースは、上部が蓋で密閉され、下部が開放枠を備えて下向きに開放された、又は、下部が蓋で密閉され、上部が開放枠を備えて上向きに開放された所定高さの函体と、ティッシュの補充のために前記函体の前面に開閉可能に備えられたドアとを含み、前記ドアは、函体前端のレールに上下摺動自在に嵌められ、前記蓋は、ドアの開放時にドアの昇降を許容するように、蓋の表面にドアの断面形状に対応する通過孔を備えることを特徴とする請求項３に記載のウェットティッシュ供給装置。
【請求項６】
ティッシュケースは、上部及び縁部が一体からなり密閉され、下部が開放枠を備えて下向きに開放された所定高さの函体を含み、前記函体の上部には収納可能な取っ手が備えられることを特徴とする請求項３に記載のウェットティッシュ供給装置。
【請求項７】
ティッシュケースは内部のティッシュが引き出されることによる空白を埋めるために、積載されたティッシュに荷重を加えながら下方移動させる重量板をさらに含むことを特徴とする請求項５又は６に記載のウェットティッシュ供給装置。
【請求項８】
ティッシュケースは内部のティッシュが引き出されることによる空白を埋めるために、積載されたティッシュに弾性力を加えながら上方移動させる弾性手段をさらに含むことを特徴とする請求項５又は６に記載のウェットティッシュ供給装置。
【請求項９】
開放枠は、内部空間の少なくとも一側に前記函体内部のティッシュを支持するための突起を備えることを特徴とする請求項５又は６に記載のウェットティッシュ供給装置。
【請求項１０】
掴み部は、ティッシュケースの開放上部を通して引き出したティッシュをコンベヤベルトに運搬するために、所定のガイドに沿って前記コンベヤベルトに向けて移動可能に備えられることを特徴とする請求項４に記載のウェットティッシュ供給装置。
【請求項１１】
前記ティッシュ運搬手段は、ティッシュ排出方向に駆動するコンベヤベルト、又はティッシュ排出方向に前後往復運動する駆動シリンダーであることを特徴とする請求項１に記載のウェットティッシュ供給装置。
【請求項１２】
前記駆動シリンダーはティッシュ排出方向に延びる運搬プレートを有することを特徴とする請求項１１に記載のウェットティッシュ供給装置。
【請求項１３】
前記運搬プレートは、水筒と連結された噴射ノズルを経て、ティッシュ排出側まで延長されることを特徴とする請求項１２に記載のウェットティッシュ供給装置。
【請求項１４】
前記運搬プレートは、ティッシュケースに向けた掴み部の上下移動が可能であるように、前記掴み部が通過する所定の通過孔を備えることを特徴とする請求項１２又は１３に記載のウェットティッシュ供給装置。
【請求項１５】
重量板は一側に昇降のためのガイド突起を備え、函体は一側に前記ガイド突起の下降を案内するための摺動溝を備え、開放枠は一側に前記摺動溝と連通した状態で延びて前記ガイド突起の下降を案内するための突起溝を備えることを特徴とする請求項５又は６に記載のウェットティッシュ供給装置。
【発明の詳細な説明】
【技術分野】
【０００１】
本発明はウェットティッシュ供給装置に関するものであって、さらに詳しくは、乾燥したティッシュの表面に水分を供給し、ウェットティッシュとして排出する装置に関するものである。
【背景技術】
【０００２】
一般的に市場で販売されているウェットティッシュは、多量の化学物質が含有されるため、人体に有害であり、特に赤ちゃんや子供の場合、アレルギーを起こすこともあり、特に有害なものとして知られている。
【０００３】
代案として、最近、ウェットティッシュ自動供給装置が多数紹介されているが、これらの装置は、その殆どがトイレットペーパーの塊に水分を供給してウェットティッシュを排出するものであって、排出されたウェットティッシュは、トイレットペーパーのようにミシン目に沿って切って使用するか、又は排出側に備えられる切断刃で切断して使用する構成である。
【０００４】
このような従来の形態のウェットティッシュ供給装置は、トイレットペーパのようなイメージがあり清潔感が無いため、ホテルや事務室のような高級環境での使用に適切ではなく、また、水気のあるティッシュを切断することが容易ではない上に、長期間の使用による切断刃の破損や磨耗のため、交換部品点数が増えるなどの問題があった。
【発明の概要】
【０００５】
［発明の開示］  
【発明が解決しようとする課題】
【０００６】
本発明は上記のような問題を鑑みて開発されたものであって、ホテルや銀行、事務室などで高級なイメージを持たせるとともに、より便利に使用し、管理することができるウェットティッシュ供給装置を提供することを目的とする。
【課題を解決するための手段】
【０００７】
このような本発明の目的は、多数の乾燥したティッシュが積載されるティッシュケースと、ティッシュケースからティッシュを掴んで引き出す掴み部と、掴み部によって引き出されたティッシュを排出方向に運搬するコンベヤベルトと、運搬中のティッシュ表面に水分を噴射する水噴射手段とを含むウェットティッシュ供給装置を提供することによって達成される。
【０００８】
本発明によると、水噴射手段は水筒と噴射ノズルとから構成され、ティッシュケースは装置の上部に、そして掴み部は装置の下部に位置し、掴み部はティッシュの位置付けのためにコンベヤベルトの間で上下移動が可能な往復動式シリンダー構造を有することを特徴とする。
【０００９】
本発明によると、水噴射手段は水筒と噴射ノズルとから構成され、ティッシュケースは装置の下部に、そして掴み部は装置の上部に位置し、掴み部はティッシュケースの開放上部を通して引き出したティッシュをコンベヤベルト上に運搬するために、所定のガイドに沿って移動可能に備えられることを特徴とする。
【００１０】
ティッシュケースは、上部に蓋、下部に開放枠が備えられた所定高さの函体と、ティッシュの補充のために函体の前面に開閉可能に備えられたドアと、ティッシュケース内部のティッシュが引き出されることによる空白を埋めるために、積載されたティッシュに荷重を加えながら下方移動させる重量板とを含み、ドアは函体前端のレールに上下摺動自在に嵌められ、蓋はドアの開放時にドアの昇降を許容するように、蓋の表面にドアの断面形状に対応する通過孔を備えることを特徴とする。
【００１１】
他の例として、ティッシュケースは、下部に蓋と、上部に開放枠が備えられた所定高さの函体と、ティッシュの補充のために函体の前面に開閉可能に備えられたドアと、ティッシュケース内部のティッシュが引き出されることによる空白を埋めるために、積載されたティッシュに弾性力を加えながら上方移動させる弾性手段とを含み、ドアは函体前端のレールに上下摺動自在に嵌められ、蓋はドアの開放時にドアの昇降を許容するように、蓋の表面にドアの断面形状に対応する通過孔を備えることを特徴とする。
【００１２】
さらに他の例として、ティッシュケースは、上部及び縁部が一体からなり密閉され、下部が開放枠を備えて下向きに開放された所定高さの函体を含み、前記函体の上部には収納可能な取っ手が備えられることを特徴とする。
【００１３】
本発明によると、ティッシュケースの上部又は下部に結合される開放枠は、少なくとも一つの内側対応端部に函体内のティッシュを支持するための突起を備える。
【００１４】
また、重量板は、一側に昇降のためのガイド突起を備え、函体は一側に前記ガイド突起の下降を案内するための摺動溝を備え、開放枠は一側に前記摺動溝と連通した状態で延びて前記ガイド突起の下降を案内するための突起溝を備えることを特徴とする。
【発明の効果】
【００１５】
上記のような構成を有する本発明のウェットティッシュ供給装置は、多数の折り畳まれたティッシュを一枚ずつ引き出すように構成されるため、使い勝手が良い上に、高級なイメージを持たせることで、ホテルや銀行、事務室などに適した雰囲気を提供する。
【００１６】
また、本発明は、ティッシュを掴み部で引き出し、コンベヤベルトを介して排出する構造を有するため、故障率が低く、ティッシュの迅速な引き出しが可能となる効果がある。
【図面の簡単な説明】
【００１７】
【図１】本発明に係るウェットティッシュ供給装置の第１の実施例を示した概略的な作動構成図である。
【図２ａ】本発明に係るウェットティッシュ供給装置に備えられるティッシュケースを示した分解斜視図である。
【図２ｂ】本発明に係るウェットティッシュ供給装置に備えられるティッシュケースの組立状態図である。
【図２ｃ】本発明に係るウェットティッシュ供給装置に備えられるティッシュケースのドア開放による作動状態図である。
【図２ｄ】本発明に係るウェットティッシュ供給装置に備えられるティッシュケースのティッシュ積載状態図である。
【図３】本発明に係るウェットティッシュ供給装置の第２の実施例を示した概略的な作動構成図である。
【図４ａ】本発明に係るウェットティッシュ供給装置の第３の実施例を示した図１と相違したティッシュ運搬手段を備えたウェットティッシュ供給装置の作動構成図である。
【図４ｂ】本発明に係るウェットティッシュ供給装置の第３の実施例を示したティッシュ運搬手段の平面図である。
【図５ａ】本発明に係るウェットティッシュ供給装置の第４の実施例を示した図３と相違したティッシュ運搬手段を備えたウェットティッシュ供給装置の作動構成図である。
【図５ｂ】本発明に係るウェットティッシュ供給装置の第４の実施例を示したティッシュ運搬手段の作動状態図である。
【図６ａ】本発明に係るウェットティッシュ供給装置に備えられるティッシュケースの変形例を示したティッシュケースの分解斜視図である。
【図６ｂ】本発明に係るウェットティッシュ供給装置に備えられるティッシュケースの変形例を示したティッシュケースの組立状態図である。
【発明を実施するための形態】
【００１８】
［発明を実施するための最良の形態］  
以下、本発明の好ましい実施例を図面を参照して詳細に説明する。本発明では、図面中の発明と関係のない部分に対しては図示と説明を省略し、明細書全体にわたって同一な、及び類似した構成要素に対しては同一な参照符号を付けて説明する。
【００１９】
[実施例１]  
図１は、本発明の一実施例であるウェットティッシュ供給装置の概略的な作動構成を示したものであって、ティッシュケース１０に積載された多数の乾燥したティッシュ１を掴み部２０で引き出してコンベヤベルト３０を介して排出し、この過程において水筒４０から運搬された水分を噴射してティッシュ１の表面を濡らし、ウェットティッシュとして供給する構成である。
【００２０】
図１に示したように、ティッシュケース１０と水筒４０は装置の上部に、そして掴み部２０は装置の下部に位置する構成であって、特に掴み部２０はティッシュの位置付けのためにコンベヤベルト３０の間で上下移動が可能となるように構成され、このために、掴み部２０の本体２１を往復動式シリンダー構造に形成することは好ましい。
【００２１】
一方、図面中の４２は噴射ノズルであり、４４は水受け台であり、５０は維持ローラである。本実施例において、維持ローラ５０は、コンベヤベルト３０に載せて運搬されるティッシュ１の上面に密着して維持し、ティッシュの安定的な運搬や掴み部２０の把持によるティッシュの浮き上がりを除去するなどの機能を提供する。
【００２２】
図２は図１のティッシュケースを示したものであって、２ａはティッシュケースの分解斜視図であり、２ｂは組立状態図であり、２ｃはドア開放による作動状態図であり、２ｄはティッシュ積載状態図である。
【００２３】
本発明において、ティッシュケース１０は、蓋１４０と開放枠１３０を有する所定高さの函体１１０と、ティッシュ補充のために函体の前面部分に開閉可能に備えられるドア１２０とを含む構成であって、函体１１０内部に、ティッシュ１の引き出しによる空白を埋め、ティッシュ１を開放枠１３０に向けて下降させるための重量板１５０を内臓している。重量板１５０は一定の重さを有する板状の部材であって、その一側にガイド突起１５１が形成されており、また、函体１１０はその一側に前記ガイド突起１５１の下降を案内するための摺動溝１１３が形成されている。
【００２４】
ドア１２０は函体１１０の前端に上下開閉可能に結合され、このために、函体１１０は側面１１１の前端にレール１１２を形成し、ここにドア１２０の両側端１２１が摺動可能に嵌められるように構成されている。
【００２５】
蓋１４０はドア開放によるドア１２０の上昇を許容するように、蓋１４０の表面にドア１２０の断面形状に対応する通過孔１４１を備える。
【００２６】
開放枠１３０はティッシュが通過するように上下開放されたフレーム形状の構造物であって、胴体１３１内部空間の少なくとも一側に函体１１０内部のティッシュ１を支持するための突起１３２が形成されている。また、胴体１３１の一側には、函体１１０の摺動溝１１３と連通した状態で延びて前記ガイド突起１５１の下降を案内するための突起溝１３３ａが提供されている。
【００２７】
このような構造において、ティッシュケース１０の函体１１０内部に満たされたティッシュ１は開放枠１３０の内部空間を通して外部に引き出され、ティッシュの引き出し後、函体１１０の内部に残っている他のティッシュ１は、重量板１５０の下降により開放枠１３０に向かって順次下方移動する。
【００２８】
図６は本発明に係るウェットティッシュ供給装置に備えられるティッシュケースの変形例を示したものであって、６ａはティッシュケースの分解斜視図であり、６ｂは組立状態図である。
【００２９】
本変形例において、ティッシュケース１０′′は、図２とは違って、函体１１０の下部が開放され、函体１１０の上部と縁部は一体型で密閉された構造であって、図２に示された蓋とドアと関連した部分が全て除去された形態を有する。この構造において、ティッシュケース１０′′内部へのティッシュの補充は、函体１１０′の下部に脱着可能に備えられた開放枠１３０を除去した後、満たすことができる。勿論、図示しないが、ティッシュは束状に補充するか、一定のケース形態で函体内部に補充することができ、これは、図２の構造にも同一に適用される。
【００３０】
開放枠１３０は函体１１０′内部のティッシュが通過して引き出されるように上下開放されたフレーム形状の構造物であって、開放枠１３０の内部には少なくとも一つの突起１３２が突出されており、函体１１０′内部のティッシュ１を支持する。
【００３１】
本変形例において、ティッシュケース１０′′は、図２と同様に、函体１１０′内部に満たされたティッシュ１を開放枠１３０に向けて下降させる重量板１５０を内臓しており、この重量板１５０は、ガイド突起１５１が函体１１０′の一側に設けられた摺動溝１１３に沿って摺動しながら下降する。
【００３２】
また、ティッシュケース１０′′は、本発明装置の内部への運搬と除去が容易となるように、函体１１０′上部に取っ手１０３を備えることができ、また、この取っ手１０３は、函体１１０′の上部面１０１に一定の大きさの凹溝部１０２を形成し、その内部に収容されるように構成することもできる。
【００３３】
［実施例２］  
図３は本発明の第２の実施例に係るウェットティッシュ供給装置の概略的な作動構成を示したものであって、ティッシュケース１０′に積載された多数の乾燥したティッシュ１を掴み部２０で引き出してコンベヤベルト３０を介して排出し、この過程において、水筒４０から供給された水分を噴射してティッシュ１表面を濡らし、ウェットティッシュとして供給するという点で図１と基本的に同一な構成を備えている。
【００３４】
但し、図１とは違って、ティッシュケース１０′が装置の下部に位置し、掴み部２０は装置の上部に位置するという点で相違しており、さらに、ティッシュケース１０′の場合、掴み部２０を用いたティッシュの引き出しのために上部が開放された構造で提供される。図示しないが、本実施例に係るティッシュケース１０′は、基本的に図２のティッシュケース１０をひっくり返したような形態を有するように構成することができる。
【００３５】
この場合、ティッシュケース１０′は、函体内部のティッシュ１が引き出されることによる空白を埋めるとともに、ティッシュ１を函体上部の開放部に向けて押し上げるために、図２の重量板１５０と類似した形態を有する支持板１１にティッシュ１を載せた状態で、この支持板１１が下部のバネなどの弾性手段１２により付勢されるように構成し、支持板１１の上昇によってティッシュ１が上方移動されるように構成することが好ましい。
【００３６】
また、掴み部２０はティッシュケース１０′の開放上部を通してティッシュ１を引き出すように構成するが、図３に示したように、ティッシュケース１０′から引き出したティッシュ１をコンベヤベルト３０に運搬するために、ガイド２５に沿って移動可能な構造で提供する。このために、ガイド２５は、ティッシュケース１０′の上部で前記コンベヤベルト３０に向かって配列されることが好ましい。
【００３７】
なお、掴み部２０は引き出したティッシュの位置付けのためにコンベヤベルト３０に向かって上下移動可能に構成されるが、このために、掴み部２０の本体２１は往復動式シリンダー構造で形成されることが好ましい。
【００３８】
本実施例において、図面中の４２は噴射ノズルであり、４４は水受け台であり、５０は維持ローラを示し、維持ローラ５０の場合、図１と同様の目的で設けられる。
【００３９】
［実施例３］  
図４は本発明に係るウェットティッシュ供給装置の第３の実施例を示したものであって、図４ａは図１と相違したティッシュ運搬手段を備えたウェットティッシュ供給装置の作動構成図であり、図４ｂは図４ａのティッシュ運搬手段の平面図である。
【００４０】
本実施例に係るウェットティッシュ供給装置は、図１の構成からコンベヤベルトを除去し、その代わりにティッシュ排出方向への前後往復運動を行って、ティッシュ１を排出方向に運搬する駆動シリンダー６０をさらに備える。
【００４１】
駆動シリンダー６０はティッシュ排出方向に延びる運搬プレート６１を有し、このような運搬プレート６１は水筒４０と連結された噴射ノズル４２を経て、ティッシュ排出側まで延長される。
【００４２】
本実施例に係るウェットティッシュ供給装置は、基本的にティッシュケース１０の下部で上下往復運動が可能な掴み部２０によってティッシュを引き出す構成であるため、ティッシュケース１０を向いた掴み部２０の上下移動が可能であるように、運搬プレート６１は図４ｂに示したように、掴み部２０が通過する所定の通過孔６２を備えることが好ましい。
【００４３】
掴み部２０はティッシュを掴み、通過孔６２を介して下降する間に掴んでいたティッシュ１を放すことにより、運搬プレート６１の表面に置かれるようにする。
【００４４】
［実施例４］  
図５は本発明に係るウェットティッシュ供給装置の第４の実施例を示したものであって、図５ａは図３と相違したティッシュ運搬手段を備えたウェットティッシュ供給装置の作動構成図であり、図５ｂは図５ａに係るティッシュ運搬手段の作動状態図である。
【００４５】
本実施例に係るウェットティッシュ供給装置は、図３の構成からコンベヤベルトを除去し、その代わりにティッシュ排出方向への前後往復運動を行って、ティッシュ１を排出方向に運搬する駆動シリンダー６０をさらに備える。
【００４６】
駆動シリンダー６０はティッシュ排出方向に延びる運搬プレート６１を有し、このような運搬プレート６１は水筒４０と連結された噴射ノズル４２を経て、ティッシュ排出側まで延長される。
【００４７】
本実施例に係るウェットティッシュ供給装置は、基本的にティッシュケース１０′の上部で上下往復運動が可能な掴み部２０によってティッシュ１を引き出し、この引き出されたティッシュ１を運搬プレート６１上に運搬するためにガイド２５に沿って移動可能な構造を有するため、掴み部２０はティッシュ１を掴み、運搬プレート６１上に下降する間に掴んでいたティッシュ１を放すことにより、運搬プレート６１の表面に置かれるようにする。
【００４８】
以上、本発明の好ましい実施例を図面を参照して詳細に説明した。本発明の説明は一つの例示のためのものであって、本発明の属する技術分野で通常の知識を有する者なら、本発明の技術的思想や核心的な特徴を変更することなく、他の具体的な形態に容易に変形可能であることが理解できるはずである。
【００４９】
よって、本発明は特許請求範囲の意味、範囲、及びその均等概念から導出される全ての変更又は変形された形態が、本発明の範囲に含まれるものとして解釈すべきである。
【図１】
2014503309.tif 000003
【図２ａ】
2014503309.tif 000004
【図２ｂ】
2014503309.tif 000005
【図２ｃ】
2014503309.tif 000006
【図２ｄ】
2014503309.tif 000007
【図３】
2014503309.tif 000008
【図４ａ】
2014503309.tif 000009
【図４ｂ】
2014503309.tif 000010
【図５ａ】
2014503309.tif 000011
【図５ｂ】
2014503309.tif 000012
【図６ａ】
2014503309.tif 000013
【図６ｂ】
2014503309.tif 000014
【国際調査報告】
2014503309.tif 000015
2014503309.tif 000016
2014503309.tif 000017
2014503309.tif 000018